【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
位相差検出方式の自動焦点調節に用いる像信号を生成可能な撮像素子と、
前記像信号に基づいて、デフォーカス量を検出する検出手段と、
前記デフォーカス量に基づいて、フォーカスレンズの駆動を制御する制御手段と、を有し、
前記制御手段は、前記像信号に基づく信頼性が所定の信頼性より高い場合には前記デフォーカス量に基づいて前記フォーカスレンズが駆動されるように前記フォーカスレンズの駆動を制御し、前記信頼性が前記所定の信頼性より高くない場合には前記フォーカスレンズを所定単位ずつ駆動するステップ駆動により前記フォーカスレンズが駆動されるように前記フォーカスレンズの駆動を制御することを特徴とする焦点調節装置。
【請求項２】
前記制御手段は、前記ステップ駆動により前記フォーカスレンズが駆動されるように前記フォーカスレンズの駆動を制御する場合、前記信頼性が第１の信頼性であれば第１の駆動量を前記所定単位とし、前記信頼性が前記第１の信頼性よりも低い第２の信頼性であれば前記第１の駆動量よりも大きな第２の駆動量を前記所定単位とするステップ駆動により前記フォーカスレンズが駆動されるように前記フォーカスレンズの駆動を制御することを特徴とする請求項１に記載の焦点調節装置。
【請求項３】
前記制御手段は、前記信頼性が前記所定の信頼性より高くなく、かつ前記デフォーカス量が示すデフォーカス方向が一定でない場合に、前記ステップ駆動により前記フォーカスレンズが駆動されるように前記フォーカスレンズの駆動を制御することを特徴とする請求項１または請求項２に記載の焦点調節装置。
【請求項４】
前記制御手段は、前記信頼性が前記所定の信頼性より高くなく、かつ前記デフォーカス量が示すデフォーカス方向が一定である場合には、前記デフォーカス量に基づいて前記フォーカスレンズが駆動されるように前記フォーカスレンズの駆動を制御することを特徴とする請求項３に記載の焦点調節装置。
【請求項５】
前記制御手段は、絞り値が第１の値の場合よりも、前記絞り値が前記第１の値より開放側の第２の値の場合の方が大きな値となるように前記所定単位を補正することを特徴とする請求項１から請求項４のいずれか１項に記載の焦点調節装置。
【請求項６】
位相差検出方式の自動焦点調節に用いる像信号を生成可能な撮像素子と、
前記像信号に基づいて、デフォーカス量を検出する検出手段と、
前記デフォーカス量に基づいて、フォーカスレンズの駆動を制御する制御手段と、を有し、
前記制御手段は、前記フォーカスレンズを所定単位ずつ駆動するステップ駆動により前記フォーカスレンズが駆動されるように前記フォーカスレンズの駆動を制御し、前記像信号に基づく信頼性が所定値より高い第１の信頼性であれば第１の駆動量を、前記信頼性が前記所定値より高くない第２の信頼性であれば前記第１の駆動量よりも大きな第２の駆動量を、前記所定単位とするステップ駆動により前記フォーカスレンズが駆動されるように前記フォーカスレンズの駆動を制御することを特徴とする焦点調節装置。
【請求項７】
前記制御手段は、前記信頼性が、予め設定された、デフォーカス方向について信頼できる信頼性より高い場合、前記ステップ駆動の開始時における前記フォーカスレンズの駆動方向を、前記デフォーカス量に基づいて決定することを特徴とする請求項６に記載の焦点調節装置。
【請求項８】
前記第２の信頼性が、前記デフォーカス方向について信頼できる信頼性より高いことを特徴とする請求項７に記載の焦点調節装置。
【請求項９】
前記信頼性が前記デフォーカス方向について信頼できる信頼性より高くない場合、前記制御手段は、前記第２の駆動量よりも大きな第３の駆動量で、かつ前記フォーカスレンズの駆動範囲内で前記フォーカスレンズが駆動されるように前記フォーカスレンズの駆動を制御することを特徴とする請求項８に記載の焦点調節装置。
【請求項１０】
前記制御手段は、絞り値が第１の値の場合よりも、前記絞り値が前記第１の値より開放側の第２の値の場合の方が大きな値となるように前記第３の駆動量を補正することを特徴とする請求項９に記載の焦点調節装置。
【請求項１１】
前記検出手段は、前記撮像素子が有する画素のうち、焦点検出領域に含まれる画素から得られる前記像信号に基づいて前記デフォーカス量を検出し、
前記制御手段は、前記焦点検出領域の像高が高いほど、前記所定の信頼性を低く設定することを特徴とする請求項１から請求項１０のいずれか１項に記載の焦点調節装置。
【請求項１２】
前記制御手段の動作が動画撮影時に行われることを特徴とする請求項１から請求項１１のいずれか１項に記載の焦点調節装置。
【請求項１３】
位相差検出方式の自動焦点調節に用いる像信号を生成可能な撮像素子を有する焦点調節装置の制御方法であって、
前記像信号に基づいて、デフォーカス量を検出する検出工程と、
前記デフォーカス量に基づいて、フォーカスレンズの駆動を制御する制御工程とを有し、
前記制御工程において、前記像信号に基づく信頼性が所定の信頼性より高い場合には前記デフォーカス量に基づいて前記フォーカスレンズが駆動されるように前記フォーカスレンズの駆動を制御し、前記信頼性が前記所定の信頼性より高くない場合には前記フォーカスレンズを所定単位ずつ駆動するステップ駆動により前記フォーカスレンズが駆動されるように前記フォーカスレンズの駆動を制御することを特徴とする焦点調節装置の制御方法。
【請求項１４】
位相差検出方式の自動焦点調節に用いる像信号を生成可能な撮像素子を有する焦点調節装置の制御方法であって、
前記像信号に基づいて、デフォーカス量を検出する検出工程と、
前記デフォーカス量に基づいて、フォーカスレンズの駆動を制御する制御工程とを有し、
前記制御工程において、前記フォーカスレンズを所定単位ずつ駆動するステップ駆動により前記フォーカスレンズが駆動されるように前記フォーカスレンズの駆動を制御し、前記像信号に基づく信頼性が所定値より高い第１の信頼性であれば第１の駆動量を、前記信頼性が前記所定値より高くない第２の信頼性であれば前記第１の駆動量よりも大きな第２の駆動量を、前記所定単位とするステップ駆動により前記フォーカスレンズが駆動されるように前記フォーカスレンズの駆動を制御することを特徴とする焦点調節装置の制御方法。
【手続補正２】
【補正対象書類名】明細書
【補正対象項目名】発明の名称
【補正方法】変更
【補正の内容】
【発明の名称】焦点調節装置およびその制御方法
【手続補正３】
【補正対象書類名】明細書
【補正対象項目名】０００１
【補正方法】変更
【補正の内容】
【０００１】
本発明は、焦点調節装置およびその制御方法に関し、特に撮像面位相差ＡＦによる焦点調節技術に関する。
【手続補正４】
【補正対象書類名】明細書
【補正対象項目名】００１３
【補正方法】変更
【補正の内容】
【００１３】
上述の目的は、位相差検出方式の自動焦点調節に用いる像信号を生成可能な撮像素子と、像信号に基づいて、デフォーカス量を検出する検出手段と、デフォーカス量に基づいて、フォーカスレンズの駆動を制御する制御手段と、を有し、制御手段は、像信号に基づく信頼性が所定の信頼性より高い場合にはデフォーカス量に基づいてフォーカスレンズが駆動されるようにフォーカスレンズの駆動を制御し、前記信頼性が所定の信頼性より高くない場合にはフォーカスレンズを所定単位ずつ駆動するステップ駆動によりフォーカスレンズが駆動されるようにフォーカスレンズの駆動を制御することを特徴とする焦点調節装置によって達成される。
【手続補正５】
【補正対象書類名】明細書
【補正対象項目名】００１７
【補正方法】変更
【補正の内容】
【００１７】
（第１の実施形態）
図１は、本発明の第１の実施形態に係る焦点調節装置を適用可能な撮像装置の一例としてのレンズ交換式カメラの機能構成例を示すブロック図である。
撮像装置は交換可能なレンズユニット１０及びカメラ本体２０から構成されている。レンズ全体の動作を統括制御するレンズ制御部１０６と、レンズユニット１０を含めたカメラシステム全体の動作を統括するカメラ制御部２１２とは、レンズマウントに設けられた端子を通じて相互に通信可能である。
【手続補正６】
【補正対象書類名】明細書
【補正対象項目名】００８６
【補正方法】変更
【補正の内容】
【００８６】
以上説明したように、本実施形態に係る焦点調節装置は、撮像面位相差検出によって検出したデフォーカス量の信頼性情報に基づいて、ＡＦ制御時のフォーカスレンズ駆動方法を切り替える。信頼性が良いと判断される場合には検出したデフォーカス量を基にフォーカスレンズを駆動する。デフォーカス量の信頼性が悪い場合は、ステップ駆動量と駆動方向を設定し、ステップ駆動によってサーチ駆動を行う。そのため、フォーカスレンズの低速駆動が不可能なレンズで動画撮影を行う場合であっても、フォーカスレンズが短時間に大きく移動することを抑制でき、画質に与える悪影響を抑制可能である。また、移動が滑らかに行われているように見える、品位の良いフォーカスレンズの駆動が実現できる。